(57)【要約】【課題】可動フランジの位置決めを、操作性良く行えるようにする。【解決手段】ロールシート保持装置は、ロールシートＲＰの軸芯ＡＸを貫通する支持軸１１０に設けられ、ロールシートが移動するのを規制する、支持軸に着脱可能な可動フランジ２０５を備えている。可動フランジは、軸方向に互いに相対移動により接離可能な保持片盤２４０及び本体盤２２０と、保持片盤に設けられ、ロックばね２５４によって支持軸に付勢されて保持片盤を支持軸に係合するロック駒２５２と、ロールシートの端部と接触する本体盤に設けられて、本体盤が保持片盤に対して相対移動させられると、ロックばねに抗してロック駒を支持軸から離間させて係合状態を解除する第１楔片２５５及び第２楔片２５６と、を有し、可動フランジと同じ移動方向に第１、第２楔片を移動させると、支持軸に可動フランジの着脱を行えるので、可動フランジの位置決めの操作性が向上する。【選択図】図１９
2019199330.tif 000002
【特許請求の範囲】
【請求項１】
ロールシートの軸芯を貫通する支持軸と、
ロールシートの一端に対向して前記支持軸に設けられ、ロールシートが軸方向へ移動するのを規制する、前記支持軸に対して着脱可能なフランジと、を備え、
前記フランジは、
前記軸方向に互いに相対移動により接離可能な第１の移動部材及び第２の移動部材と、
前記支持軸に対して交差する方向に移動可能に前記第１の移動部材に設けられ、付勢手段によって前記支持軸に付勢されて前記第１の移動部材を前記支持軸に係合する係合部材と、
前記支持軸に装着されるロールシートの端部と接触する前記第２の移動部材に設けられて、前記第２の移動部材が前記支持軸の軸方向に沿って前記第１の移動部材に対して相対移動させられると、前記付勢手段に抗して前記係合部材を前記支持軸から離間させて係合状態を解除する解除部と、を有する、
ことを特徴とするロールシート保持装置。
【請求項２】
前記係合部材と前記解除部は、互いに当接する部分の少なくとも一方が傾斜面であり、
前記傾斜面は、
前記第２の移動部材が外力により軸方向に移動させられるとき、前記付勢手段に抗して前記係合部材を前記支持軸から離間させ、
前記外力が解除されると、前記付勢手段によって前記係合部材の前記離間を解除するとともに前記第２の移動部材を押し戻すことが可能である、
ことを特徴とする請求項１に記載のロールシート保持装置。
【請求項３】
前記解除部は、前記係合部材の前記支持軸の軸方向の両側に配置されている、
ことを特徴とする請求項１又は請求項２に記載のロールシート保持装置。
【請求項４】
前記支持軸と前記フランジは、一体に回転可能である、
ことを特徴とする請求項１乃至３のいずれか１項に記載のロールシート保持装置。
【請求項５】
前記フランジは、前記ロールシートの軸芯孔に着脱可能に挿入されて、前記軸芯孔を保持する芯孔保持部を有している、
ことを特徴とする請求項１乃至４のいずれか１項に記載のロールシート保持装置。
【発明の詳細な説明】
【技術分野】
【０００１】
本発明は、長尺シートを巻いて形成されたロールシートを保持するロールシート保持装置に関する。
【背景技術】
【０００２】
従来、ロールシート保持装置は、ロールシートの軸芯が装着される支持軸でロールシートを回転自在に支持して、長尺シートに画像を形成する画像形成装置に長尺シートを供給できるようになっている。ロールシート保持装置は、支持軸に着脱自在に設けられたフランジによって、ロールシートの幅方向の位置が所定の位置に定まるように、ロールシートを位置決めしている（特許文献１）。幅方向とは、ロールシートの軸芯に沿った方向（スラスト方向）とする。フランジは、支持軸に装着されたロールシートの一端に対向して、支持軸の所定の位置にロック機構によってロックされて、ロールシートの位置を位置決めするようになっている。
【先行技術文献】
【特許文献】
【０００３】
【特許文献１】特開２００９−２０３０１４号公報
【発明の概要】
【発明が解決しようとする課題】
【０００４】
しかし、従来のロールシート保持装置は、フランジを、支持軸上を移動させるとき、フランジの移動方向（支持軸の軸方向）と、ロック機構のロック解除レバーの操作方向（支持軸の軸方向に直交する方向）とが異なるため、ユーザとしては異なる２方向の操作を同時に行う必要があり操作が煩わしいという問題があった。
【０００５】
本発明は、フランジの位置決めを、操作性良く行えるロールシート保持装置を提供することにある。
【課題を解決するための手段】
【０００６】
本発明は、ロールシートの軸芯を貫通する支持軸と、ロールシートの一端に対向して前記支持軸に設けられ、ロールシートが軸方向へ移動するのを規制する、前記支持軸に対して着脱可能なフランジと、を備え、前記フランジは、前記軸方向に互いに相対移動により接離可能な第１の移動部材及び第２の移動部材と、前記支持軸に対して交差する方向に移動可能に前記第１の移動部材に設けられ、付勢手段によって前記支持軸に付勢されて前記第１の移動部材を前記支持軸に係合する係合部材と、前記支持軸に装着されるロールシートの端部と接触する前記第２の移動部材に設けられて、前記第２の移動部材が前記支持軸の軸方向に沿って前記第１の移動部材に対して相対移動させられると、前記付勢手段に抗して前記係合部材を前記支持軸から離間させて係合状態を解除する解除部と、を有する、
ことを特徴とするロールシート保持装置によって、従来の課題を解決した。
【発明の効果】
【０００７】
本発明は、ロールシートに対するフランジの位置決めを、操作性良く行うことができる。
【図面の簡単な説明】
【０００８】
【図１】本実施形態のロールシート保持装置を備えた画像形成装置としてのインクジェット記録装置を説明する概略正面図である。
【図２】図１のインクジェット記録装置を説明する概略平面図である。
【図３】ロールシートを保持したロールシート保持装置の外観斜視概略図である。
【図４】ロールシートの外観斜視図である。
【図５】図１のロールシート保持装置を左側から見た概略図である。
【図６】ロールシート保持装置を着脱自在に支持するインクジェット記録装置のフレームの部分拡大図である。
【図７】図５の可動フランジの断面図である。
【図８】図７の可動フランジの外観図である。
【図９】可動フランジの補助盤に保持片盤を組み込む図である。
【図１０】可動フランジから保持片盤を取り外した可動フランジの斜視図である。
【図１１】保持片盤の図である。（Ａ）は、保持片盤の側面図である。（Ｂ）は、保持片盤の外観斜視図である。
【図１２】可動フランジの本体盤と、補助盤と、ロック体との分解側面図である。
【図１３】図１２の補助盤を右側から見た補助盤の斜視図である。
【図１４】本体盤の図である。（Ａ）は、本体盤の側面図である。（Ｂ）は、（Ａ）の本体盤を右側から見た本体盤の斜視図である。
【図１５】ロック体の斜視図である。
【図１６】ロック体の分解斜視図であり、一部の部品を省略した図である。
【図１７】図７のロック体とその周辺の拡大概略図である。
【図１８】可動フランジでロールシートを固定フランジに押し付けたときの、可動フランジの断面図であり、一部省略した図である。
【図１９】可動フランジが、固定フランジとで、ロールシートを幅方向の移動を規制する位置に位置決めされたときの可動フランジの断面図であり、一部省略した図である。
【図２０】図１９のＸ−Ｘ断面矢視図であり、一部省略した図である。
【図２１】可動フランジを支持軸から抜き取るときの動作説明用の図である。（Ａ）は、本体盤を保持片盤に接近させて、可動フランジを支持軸から抜き取るときの支持軸に沿った断面図である。（Ｂ）は、本体盤を保持片盤から離して、可動フランジを支持軸から抜き取るときの支持軸に沿った断面図である。
【発明を実施するための形態】
【０００９】
以下、本発明の実施形態のロールシート保持装置と、このロールシート保持装置を備えた画像形成装置としてのインクジェット記録装置とを図に基づいて説明する。なお、本実施形態のロールシート保持装置の構成や構成要素の数は、あくまでも例示であり、本発明の範囲をそれらのみに限定するものではない。
【００１０】
図１は、本実施形態のロールシート保持装置を備えた画像形成装置としてのインクジェット記録装置を説明する概略正面図である。図２は、図１のインクジェット記録装置を説明する概略平面図である。図３は、ロールシートＲＰを保持したロールシート保持装置１０６の外観斜視概略図である。図４は、ロールシートＲＰの外観斜視図である。
【００１１】
なお、ロールシートＲＰは、図４に示すように、中空の軸芯ＡＸに連続した記録シートである長尺シートＬＰを巻いて形成されている。軸芯ＡＸには、軸芯ＡＸを貫通する軸芯孔ＡＸｈが形成されている。また、ロールシートＲＰの「幅方向」、長尺シートＬＰの「幅方向」とは、軸芯ＡＸに沿った方向（スラスト方向）の長さのこととする。
【００１２】
インクジェット記録装置１００の構成を説明する。インクジェット記録装置１００は、主に、次の各構成要素によって形成されている。ロールシートＲＰを保持するロールシート保持装置１０６。ロールシート保持装置１０６の支持軸歯車２０１側に配設されて、ロールシート保持装置１０６を回転駆動するロール駆動部１１４。ロールシート保持装置１０６が保持しているロールシートＲＰの長尺シート給送方向の下流側に配設されて、長尺シートＬＰの幅方向の位置を規制するシート給送装置１０１。長尺シートＬＰを搬送ベルト１１６で給送する給送機構１０３。搬送ベルト１１６の下方に配設されて、長尺シートＬＰを搬送ベルト１１６に吸着させる吸引ファン１３３。搬送ベルト１１６の下方に配設されて、搬送ベルト１１６を循環駆動する搬送駆動部１１５。搬送ベルト１１６の上流端部の上方に配設されて、給送機構１０３上における長尺シートＬＰの先端を検知する先端検知センサ１１１。搬送ベルト１１６の上方に配設されて、給送機構１０３によって給送された長尺シートＬＰにインクジェット方式で画像を形成（記録）する記録ヘッド１０４。記録ヘッド１０４からインクが安定して吐出できるように維持するキャッピング機構１１２。記録ヘッド１０４へのインク供給や回復動作のためのポンプユニット１１３。画像が記録された長尺シートＬＰが排出される排出口１０８に配設されて、長尺シートＬＰを所定の長さに切り離すカッタユニット１０５。
【００１３】
インクジェット記録装置１００の動作を説明する。インクジェット記録装置１００は、作動を開始すると、外部機器のパソコン１２０（図１）から記録データ、記録コマンドなどの画像形成に必要な情報が送信されてくる。すると、吸引ファン１３３が始動する。また、長尺シートのたるみを取るため、ロール駆動部１１４が駆動して、ロールシート保持装置１０６を回転させ、長尺シートＬＰを巻き取る。その後、搬送駆動部１１５が始動して図１において搬送ベルト１１６を左回転方向に循環させる。吸引ファン１３３によって搬送ベルト１１６に吸着された長尺シートは、先端検知センサ１１１によって先端を検知されて、所定量搬送され、搬送ベルト１１６の上方の記録ヘッド１０４から吐出されるインクにより、所定の画像を形成される。その後、搬送駆動部１１５が作動を停止して搬送ベルト１１６の循環を停止させる。また、吸引ファン１３３も停止して、長尺シートが搬送ベルト１１６に吸着されている状態を解除する。そして、排出口１０８に配設されたカッタユニット１０５が長尺シートの画像を形成された部分を切り離す。これによって、インクジェット記録装置１００は、長尺シートから画像を形成した所望の長さのシートを得ることができる。
【００１４】
図５は、図１のロールシート保持装置１０６を左側から見た概略図である。図５において、実線の部分がロールシート保持装置１０６である。図６は、ロールシート保持装置１０６の支持軸歯車２０１の傍を着脱自在に支持するインクジェット記録装置１００（図１）のフレーム１００Ａの部分拡大図である。
【００１５】
ロールシート保持装置１０６（図５）は、支持軸１１０と、支持軸１１０の一端部に固定された支持軸歯車２０１と、支持軸１１０の支持軸歯車２０１寄りに一体に設けられた固定フランジ２０２と、支持軸歯車２０１と固定フランジ２０２との間で支持軸１１０に一体に設けられた位置決め鍔２１０と、支持軸１１０の他端部に着脱自在に、かつ支持軸１１０の軸方向（スラスト方向）に移動自在に設けられた可動フランジ２０５等で形成されている。
【００１６】
ロールシート保持装置１０６は、インクジェット記録装置１００（図１）のフレーム１００Ａ（図５、図６）に着脱自在に支持されている。ロールシート保持装置１０６は、支持軸１１０の支持軸歯車２０１と位置決め鍔２１０との間の部分と、後述する可動フランジ２０５の軸受２２３の部分とが、インクジェット記録装置のフレーム１００Ａに形成された軸受部１００Ａａ，１００Ａｂとに回転自在に支持されるようになっている。図６に示すように、軸受部１００Ａａは、Ｖ字状に形成されている。軸受部１００Ａｂの形状は示していないが、軸受部１００Ａａと同様にＶ字状に形成されている。このため、ロールシート保持装置１０６は、図５、図６において、フレーム１００Ａに対して、上下方向に着脱できるようになっている。
【００１７】
ロールシートＲＰが未装着のロールシート保持装置１０６をフレーム１００Ａから取り外し、可動フランジ２０５を支持軸１１０から取り外すと、ロールシートＲＰを支持軸１１０に貫通させて、固定フランジ２０２に装着することができる。そして、装着したロールシートＲＰの幅に合わせて、可動フランジ２０５を支持軸１１０に装着した後、軸受部１００Ａａ，１００Ａｂに支持させると、支持軸歯車２０１がインクジェット記録装置の駆動歯車１００Ａｃに噛み合う。この結果、ロールシート保持装置１０６は、駆動歯車１００Ａｃの回転方向に応じて、長尺シートＬＰを巻き取って長尺シートＬＰの弛みを取り除いたり、長尺シートＬＰを送り出したりすることができる。
【００１８】
ロールシート保持装置１０６の固定フランジ２０２と可動フランジ２０５は、円盤状に形成されている。可動フランジ２０５の互いに対向する面には、互いに接近する向きに保持片２０３，２１１が突出されている。保持片２０３，２１１は、ロールシートＲＰの中空の軸芯ＡＸが装着されて、ロールシートＲＰを支持するようになっている。このため、保持片２０３，２１１は、軸芯ＡＸを貫通した軸芯孔ＡＸｈ（図４）の内周面に沿った円弧状に形成されている。保持片２０３，２１１は、各々１２０度間隔で３つ突設されている（後述する図１１）。
【００１９】
図７は、図５の可動フランジ２０５の断面図である。図８は、図７の可動フランジ２０５の外観図である。図９は、可動フランジ２０５の補助盤２３０に保持片２１１を備える保持片盤２４０を組み込む図である。図１０は、図９の補助盤２３０と本体盤２２０との斜視図である。図１１は、保持片盤２４０の図である。図１１の（Ａ）は、保持片盤２４０の側面図である。図１１の（Ｂ）は、保持片盤２４０の外観斜視図である。
【００２０】
図７乃至図９において、可動フランジ２０５は、本体盤２２０と、補助盤２３０と、保持片盤２４０と、ロック体２５０等で形成されている。本体盤２２０と、補助盤２３０と、保持片盤２４０と、ロック体２５０は、ロック駒２５２とロックばね２５４とを有して互いに分解できる１対の駒保持部材２５３を一体化されて形成されている。図１０において、本体盤２２０と、補助盤２３０は、厚み方向（軸芯方向）に分解できるようにビス２２１によって一体化されている。図１１において、保持片盤２４０の保持片２１１の傍に軸芯押圧片２４１が放射状に突設されている。なお、保持片２１１と軸芯押圧片２４１は、３つ形成されているが（３つに限定されない）、軸芯押圧片２４１の１つは図示省略してある。保持片盤２４０の中央には、支持軸１１０（図５）とロック体２５０とが貫通する貫通孔２４０ａが形成されている。
【００２１】
図１１の保持片盤２４０は、軸芯押圧片２４１を図１０の補助盤２３０に１２０度間隔で形成された遊嵌孔２３０ａに遊嵌状態で進入させて、不図示のビスを保持片盤２４０のビス貫通孔２４０ｂに貫通させて、後述するロック体２５０（図１０、図１５、図１６）のビス孔２５０ａにねじ込むことによって、ロック体２５０に取り付けられて、ロック体２５０と一体化される。このとき、保持片盤２４０の貫通孔２４０ａの内周に１８０度間隔で形成された切込２４０ｃを、図１０のロック体２５０に１８０度間隔で突設された突起２５１に係合させることによって、保持片盤２４０とロック体２５０との相対位置関係を決めることができる。
【００２２】
図１２は、可動フランジ２０５の本体盤２２０と、補助盤２３０と、ロック体２５０との分解側面図である。図１３は、図１２の補助盤２３０を右側から見た補助盤２３０の斜視図である。図１４は、本体盤２２０の図である。図１４の（Ａ）は、本体盤２２０の側面図である。図１４の（Ｂ）は、図１４の（Ａ）の本体盤２２０を右側から見た本体盤２２０の斜視図である。図１５はロック体２５０の斜視図である。図１６はロック体２５０の分解斜視図であり、一部の部品を省略した図である。図１７は、図７におけるロック体２５０周辺の拡大概略図である。
【００２３】
図１３において、補助盤２３０には、補助盤２３０を本体盤２２０に取り付けるビス２２１（図１０）が貫通する取付孔２３０ｂが９０度間隔で４つ形成されている。また、補助盤２３０には、保持片盤２４０（図１１）の軸芯押圧片２４１が遊嵌する遊嵌孔２３０ａが１２０度間隔で３つ形成されている。
【００２４】
さらに、図１３の補助盤２３０には、図１３、図１５、図１６の、後述する駒保持部材２５３の上下１対の円筒半部２５３ｂが貫通するロック体貫通孔２３０ｃと、駒保持部材２５３の保持片盤取付片２５３ｅが進入する１対の取付片貫通孔２３０ｄと、駒保持部材２５３のばね保持部２５３ｄが貫通する１対のばね保持部貫通孔２３０ｅとが形成されている。ロック体貫通孔２３０ｃと取付片貫通孔２３０ｄとは、互いに接続されている。１対のロック体貫通孔２３０ｃと１対のばね保持部貫通孔２３０ｅとの各間には、後述する第１楔片２５５が形成されている。補助盤２３０は、図１３に示すように、１対の第１楔片２５５の間で分割できようになっている。すなわち、補助盤２３０は、図１３において、上下対称の形状をした半円状の上下１対の板材２３０Ｙ，２３０Ｙで形成されている。このため、ばね保持部貫通孔２３０ｅ、取付片貫通孔２３０ｄ、第１楔片２５５は、ロック体貫通孔２３０ｃを中心にして対象の位置に形成されている。
【００２５】
図１４において、本体盤２２０は、補助盤２３０に当接する円盤状の当接板２２２と、本体盤２２０をインクジェット記録装置１００（図１）のフレーム１００Ａ（図５、図６）に回転自在に支持する軸受２２３と、軸受２２３の端部の径方向に突設されて、フレーム１００Ａに対して本体盤２２０の軸方向（スラスト方向）の位置決めをする位置決め鍔２２４等で形成されている。当接板２２２には、補助盤２３０を本体盤２２０に取り付けるビス２２１（図１０）がねじ込まれるビス孔２２０ａが９０度間隔で４つ形成されている。ビス孔２２０ａは、補助盤２３０（図１３）の取付孔２３０ｂと対応する位置に形成されている。さらに、本体盤２２０には、支持軸１１０が貫通する支持軸貫通孔２２０ｂが形成されている。また、本体盤２２０には、支持軸貫通孔２２０ｂを間にして、対象の位置に、後述する、１対の第２楔片２５６が形成されている（図１４（Ｂ）において、片方の第２楔片２５６は図示省略）。
【００２６】
図１５乃至図１７に示す、ロック体２５０は、ロック駒２５２と、ロック駒２５２を支持軸１１０に押し付けるロックばね（例えば、圧縮コイルばね）２５４と、ロック駒２５２とロックばね２５４を収納して保持する駒保持部材２５３とを、各々１対有し、駒保持部材２５３を上下対称に組み合わせて形成されている。このため、上下対称の同じ部品については、同一符号を付して、上側の部品のみ説明し、下側の部品の説明は省略する。
【００２７】
図１６において、ロック駒２５２は、支持軸１１０を跨いで支持軸１１０に密着する円弧面２５２ａａが形成された１対の脚片２５２ａと、１対の脚片２５２ａの向きに対して直角に向いた１対のガイド片２５２ｂと、ロックばね２５４に係合する突部２５２ｃとが形成されている。
【００２８】
駒保持部材２５３は、支持軸１１０に密着する半円面２５３ａが形成された円筒半部２５３ｂと、半円面２５３ａを直角に横切って円筒半部２５３ｂに形成され、ロック駒２５２の脚片２５２ａが入り込むスリット２５３ｃと、スリット２５３ｃの位置に、円筒半部２５３ｂの外周２５３ｂａに外方に突出して形成され、ロックばね２５４を収納して保持するばね保持部２５３ｄと、円筒半部２５３ｂの外周２５３ｂａの端部に突出して、保持片盤２４０（図１１）の切込２４０ｃに係合する突起２５１と、保持片盤２４０をビスによって駒保持部材２５３に取り付けるためのビス孔２５０ａが形成された保持片盤取付片２５３ｅ等で形成されている。ロック駒２５２の円弧面２５２ａａと、駒保持部材２５３の半円面２５３ａは、支持軸１１０に密着するため、支持軸１１０の半径ｒと同じ曲率半径で形成されている。
【００２９】
また、駒保持部材２５３には、１対の駒保持部材同士をねじによって一体化するためのねじ貫通孔２５３ｆと、雌ねじ２５３ｇが形成されて雌ねじ突部２５３ｈも形成されている。ばね保持部２５３ｄには、ロック駒２５２が支持軸１１０に対して直角な方向（支持軸１１０のラジアル方向）に移動できるように、ロック駒２５２の１対のガイド片２５２ｂを案内する１対の案内溝２５３ｄａが形成されている。以上の構成において、ばね保持部２５３ｄ、案内溝２５３ｄａ、突起２５１、スリット２５３ｃ、保持片盤取付片２５３ｅ、ねじ貫通孔２５３ｆ、雌ねじ２５３ｇ及び雌ねじ突部２５３ｈは、互いに平行に形成されている。
【００３０】
ロックばね２５４は、ばね保持部２５３ｄに収納されて、可動フランジ２０５を支持軸１１０に装着したときロック駒２５２を支持軸１１０に圧接できるように、ロック駒２５２を１対の駒保持部材２５３の内方に付勢している。
【００３１】
補助盤２３０（図１３、図１７）には第１楔片２５５が突設されている。本体盤２２０（図１４（Ｂ）、図１７）には、第２楔片２５６が突設されている。また、第１楔片２５５と第２楔片２５６は、補助盤２３０と本体盤２２０とが可動フランジ２０５として組み立てられた状態で、互いに対向する位置に突設され、かつ、駒保持部材２５３の円筒半部２５３ｂの外周２５３ｂａとロック駒２５２のガイド片２５２ｂとの間に進入する長さに突設されている。また、第１楔片２５５と第２楔片２５６（図１７）には、円筒半部２５３ｂの外周２５３ｂａとロック駒２５２のガイド片２５２ｂとの間に進入し易いように、各々の先端部分に傾斜面２５５ａ，２５６ａが形成されている。
【００３２】
以上の構成において、ロック駒２５２を有するロック体２５０、第１楔片２５５、及び第２楔片２５６等は、ロック機構２６０（図１７）を形成している。
【００３３】
図１２、図１４、図１７において、本体盤２２０には、支持軸貫通孔２２０ｂ（図１４（Ｂ））と、駒保持部材２５３を収納する駒保持部材貫通孔２２０ｃ（図１７）及び蓋収納凹部２２０ｄ（図１４（Ｂ）、図１７）が形成されている。駒保持部材貫通孔２２０ｃには、ロック体２５０が収納されている。蓋収納凹部２２０ｄには、蓋２７０が装着されて収納されている。蓋２７０には、支持軸１１０が貫通する支持軸貫通孔２７０ａが形成されている。
【００３４】
次に、可動フランジ２０５を組み立てる順序を説明する。先ず、図１５、図１６において、１対の駒保持部材２５３を一体化してロック体２５０を組み立てる順序を説明する。駒保持部材２５３のばね保持部２５３ｄにロックばね２５４を収納する。その後、駒保持部材２５３の案内溝２５３ｄａにロック駒２５２のガイド片２５２ｂを進入させ、スリット２５３ｃに脚片２５２ａを進入させる。このようにして、ロックばね２５４とロック駒２５２が組み込まれた駒保持部材２５３を１対、図１５に示すように対象の位置関係に組み合わせて、ねじ２５７を図１６のねじ貫通孔２５３ｆに貫通させて、雌ねじ突部２５３ｈの雌ねじ２５３ｇにねじ込むことによって、１対の駒保持部材２５３（図１５）を一体化することができる。一体化された１対の駒保持部材２５３の半円面２５３ａによって、ロック体２５０の支持軸貫通孔２５０ｂが形成される。
【００３５】
その後、本体盤２２０（図１６）の蓋収納凹部２２０ｄに蓋２７０を収納して本体盤２２０と蓋２７０とを一体化する。本体盤２２０の支持軸貫通孔２２０ｂと、蓋２７０の支持軸貫通孔２７０ａとが一致する。この状態で、本体盤２２０の駒保持部材貫通孔２２０ｃに、ロック体２５０を挿入して、ロック体２５０の支持軸貫通孔２５０ｂと、本体盤２２０の支持軸貫通孔２２０ｂと、蓋２７０の支持軸貫通孔２７０ａとを一致させる。このとき、本体盤２２０に突設されている第２楔片２５６が、駒保持部材２５３の円筒半部２５３ｂの外周２５３ｂａとロック駒２５２のガイド片２５２ｂとの間に割り込むようにする。
【００３６】
そして、図１０、図１３、図１４において、補助盤２３０の上下１対の板材２３０Ｙを分離した状態で、位置決めしたロック体２５０を上下から挟み込んで、取付孔２３０ｂにビス２２１を貫通させて、そのビス２２１を本体盤２２０のビス孔２２０ａに図１４（Ｂ）の左側からねじ込み、補助盤２３０を本体盤２２０に取り付ける。このとき、図１７に示すように、補助盤２３０に突設されている第１の楔片２５５が、駒保持部材２５３の円筒半部２５３ｂの外周２５３ｂａとロック駒２５２のガイド片２５２ｂとの間に割り込むようにする。この状態で、図１０に示すように、補助盤２３０のロック体貫通孔２３０ｃ、取付片貫通孔２３０ｄ、保持部貫通孔２３０ｅには、ロック体２５０の円筒半部２５３ｂ、ばね保持部２５３ｄ、保持片盤取付片２５３ｅが進入している。
【００３７】
図１０乃至１２において、最後に、保持片盤２４０をロック体２５０に取り付ける。保持片盤２４０は、不図示のビスを、保持片盤２４０のビス貫通孔２４０ｂに貫通させて、ロック体２５０のビス孔２５０ａにねじ込むことによって、ロック体２５０に取り付けられる。
【００３８】
以上のようにして組み立てられた、可動フランジ２０５は、それぞれ独立した２つのブロックに分けることができる。可動フランジ２０５は、この２つのブロックが関連し合って作動することによって、支持軸１１０の軸方向に移動及び着脱自在に装着されて、ロールシートＲＰの幅に合わせて、支持軸１１０上に固定（ロック）されるようになっている。
【００３９】
その２つのブロックは、図１７において、可動フランジ２０５を支持軸１１０に固定（ロック）するロックブロックＢ１と、可動フランジ２０５が支持軸１１０にロックされているのを解除して移動できるようにするロック解除ブロックＢ２とである。
【００４０】
ロックブロックＢ１は、ロック体２５０と保持片盤２４０とで構成され、これらは一体化されている。ロックブロックＢ１は、ロック体２５０の支持軸貫通孔２５０ｂによって、支持軸１１０の軸方向に移動自在に装着されるようになっている。
【００４１】
ロック解除ブロックＢ２は、本体盤２２０と、補助盤２３０と、補助盤２３０に設けられた第１楔片２５５と、蓋２７０と、本体盤２２０に設けられた第２楔片２５６とで構成され、これらは一体化されている。ロック解除ブロックＢ２は、本体盤２２０の支持軸貫通孔２２０ｂと、蓋２７０の支持軸貫通孔２７０ａとによって、支持軸１１０の軸方向に移動自在に装着されるようになっている。
【００４２】
次に、ロックブロックＢ１とロック解除ブロックＢ２とによって、可動フランジ２０５が、ロールシートＲＰの幅に合わせて、支持軸１１０上にロックされるようになっていることを説明する。
【００４３】
図７は、可動フランジ２０５が支持軸１１０に装着されていないときの断面図である。図１７は、図７のロック体２５０とその周辺の拡大概略図である。可動フランジ２０５が、支持軸１１０に装着されていない図７の状態において、１対のロック駒２５２は、各々ロックばね２５４に押されて互いに接近する矢印Ｄ方向に常時付勢されている。このため、ロック駒２５２の１対のガイド片２５２ｂが、第１楔片２５５と第２楔片２５６との両方の傾斜面２５５ａ，２５６ａに均等に受け止められて、ロック駒２５２（図１６、図１７）の脚片２５２ａの円弧面２５２ａａが支持軸貫通孔２５０ｂ（図１７）の内面より突出している。この状態において、ロックブロックＢ１とロック解除ブロックＢ２との間に隙間Ｇ１（図７、図１７）が空いている。
【００４４】
図５において、ロールシート保持装置１０６がインクジェット記録装置のフレーム１００Ａから取り外されて、かつ可動フランジ２０５が取り外された状態でロールシートＲＰを支持軸１１０に貫通させて固定フランジ２０２の保持片２０３に装着する。このとき、ロールシートＲＰは、軸芯孔ＡＸｈが保持片２０３に装着される。その後、図７、図１７の状態の可動フランジ２０５を支持軸１１０に装着する。可動フランジ２０５は、支持軸貫通孔２５０ｂ，２２０ｂ，２７０ａに支持軸１１０を挿入することによって、支持軸１１０に装着される。このとき、ロールシートＲＰの軸芯孔ＡＸｈが可動フランジ２０５の保持片２１１に装着される。
【００４５】
その際、ロック駒２５２の脚片２５２ａ（図１６、図１７）の円弧面２５２ａａが支持軸貫通孔２５０ｂの内面より突出している（図１７）。このため、ロック駒２５２は、支持軸１１０を受け入れ易くするため、脚片２５２ａの保持片盤２４０側の一端に、案内斜面２５２ｄ（図１７）が形成されている。したがって、可動フランジ２０５を支持軸１１０に装着する際、支持軸１１０は、案内斜面２５２ｄに当接し、ロック駒２５２を支持軸貫通孔２５０ｂの内面より突出している分、ロックばね２５４に抗して駒保持部材２５３の内部に押し込んで、支持軸貫通孔２５０ｂ，２２０ｂ，２７０ａに挿入される。
【００４６】
ロールシートＲＰが装着された後の支持軸１１０に装着された可動フランジ２０５は、図５に示すように、ロールシートＲＰを固定フランジ２０２に押し付けて、ロールシートＲＰの幅方向の位置を決める必要がある。そこで、ユーザが、可動フランジ２０５の本体盤２２０を図５の左方向（矢印Ａ方向）に押圧する。しかし、ロック体２５０の支持軸貫通孔２５０ｂと支持軸１１０との間に摺動抵抗があり、保持片盤２４０とロック体２５０とで構成されたロックブロックＢ１は、移動しにくい。
【００４７】
このため、図１８に示すように、ユーザによって押されている本体盤２２０、補助盤２３０、第１楔片２５５、蓋２７０及び第２楔片２５６で構成されロック解除ブロックＢ２が、ロックブロックＢ１に対して隙間Ｇ１（図７、図１７）を埋めて接近し、本体盤２２０が保持片盤２４０に当接する。すなわち、可動フランジ２０５は、ロック解除ブロックＢ２がロックブロックＢ１を押した状態で固定フランジ２０２との間隔を狭める方向（矢印Ａ方向）に移動する。この状態が維持されて、最後、可動フランジ２０５は、保持片盤２４０の軸芯押圧片２４１でロールシートＲＰの軸芯ＡＸの端部を押し、本体盤２２０がロールシートの長尺シートＬＰの端部を押して、ロールシートＲＰを固定フランジ２０２に押し付ける。
【００４８】
このように、可動フランジ２０５は、支持軸１１０に装着されてから、ロールシートＲＰを固定フランジ２０２に押し付けるまでの間、ロック解除ブロックＢ２とロックブロックＢ１が隙間Ｇ１（図７）を埋めて一体となって、支持軸１１０に沿った方向（支持軸１１０のスラスト方向。矢印Ａ方向）に移動するようになっている。次に、この間における、ロック駒２５２と、第１楔片２５５及び第２楔片２５６との相対位置関係を説明する。
【００４９】
図１８は、可動フランジ２０５でロールシートを固定フランジ２０２に押し付けたときの、可動フランジ２０５の断面図であり、一部省略した図である。図１９は、可動フランジ２０５が、固定フランジ２０２とで、ロールシートＲＰを幅方向の移動を規制する位置に位置決めされたときの可動フランジ２０５の断面図であり、一部省略した図である。図２０は、図１９のＸ−Ｘ断面矢視図であり、一部省略した図である。
【００５０】
ロック解除ブロックＢ２がロックブロックＢ１に接近したとき、図１８に示すように、駒保持部材２５３の円筒半部２５３ｂの外周２５３ｂａとロック駒２５２のガイド片２５２ｂとの間に進入している第２楔片２５６の傾斜面２５６ａが、ロック駒２５２をロックばね２５４に抗して、支持軸１１０から離れる方向（矢印Ｃ方向）に移動させる。一方、第１楔片２５５もロック解除ブロックＢ２の部材であるので、矢印Ａ方向に移動して、外周２５３ｂａとガイド片２５２ｂとの間から抜ける方向に移動する。このようにして、可動フランジ２０５が支持軸１１０に装着されてからロールシートを固定フランジ２０２に押し付けるまでの間、ロック駒２５２は支持軸１１０から離れて、ロック駒２５２の円弧面２５２ａａが支持軸１１０から離れている。この結果、可動フランジ２０５は、支持軸１１０に装着されてからロールシートを固定フランジ２０２に押し付けるまでの間、ロック駒２５２が支持軸１１０上を摺動することなく、矢印Ａ方向に比較的円滑に移動することができる。
【００５１】
以上のようにして、可動フランジ２０５が矢印Ａ方向に移動して、ロールシートＲＰを固定フランジ２０２に押し付けて、矢印Ａ方向への移動を規制されると、ユーザは、可動フランジ２０５を矢印Ａ方向へ押すのをやめる。これに伴って、駒保持部材２５３の円筒半部２５３ｂの外周２５３ｂａとロック駒２５２のガイド片２５２ｂとの間に進入している第２楔片２５６へのユーザの矢印Ａ方向の押圧力が加わらなくなる。
【００５２】
すると、今まで、ロック駒２２５によって矢印Ｃ方向（図１８）に圧縮されていたロックばね２５４の矢印Ｄ方向（図１９）の弾性力によって、ロック駒２５２は、矢印Ｄ方向に押されて移動し、支持軸１１０に押し付けられる（図２０）。このとき、ロック駒２５２は、ガイド片２５２ｂで第１楔片２５５の傾斜面２５６ａを押圧する。すると、第１楔片２５５は支持軸１１０に沿った方向（支持軸のスラスト方向。矢印Ｂ方向）に移動させられる。第１楔片２５５は、本体盤２２０と一体である。本体盤２２０は、ロック解除ブロックＢ２を構成している。このため、ロック解除ブロックＢ２が、矢印Ｂ方向へ移動する。このとき、本体盤２２０と一体の補助盤２３０も矢印Ｂ方向に移動し、補助盤２３０に設けられた第２楔片２５５も矢印Ｂ方向に移動する。これによって、第２楔片２５５は、駒保持部材２５３の円筒半部２５３ｂの外周２５３ｂａとロック駒２５２のガイド片２５２ｂとの間から抜け出ていた状態から、該間に進入する。
【００５３】
この結果、ロック駒２５２の１対のガイド片２５２ｂと円筒半部２５３ｂの外周２５３ｂａとの間に第１楔片２５５と第２楔片２５６が挟まれて、第１楔片２５５と第２楔片２５６と一体の本体盤２２０は、矢印Ｂ方向に所定距離移動して停止する。
【００５４】
これによって、可動フランジ２０５は、ロック解除ブロックＢ２とロックブロックＢ１との間に隙間Ｇ１が生じた状態で、１対のロック駒２２５が支持軸１１０を両側から挟んで支持軸１１０にロックされる（位置決めされる）。すなわち、可動フランジ２０５は、ロックばね２５４の矢印Ｄ方向の弾性力と、ロック駒２２５と支持軸１１０との間の摩擦力とによって支持軸１１０にロック（固定）され、支持軸１１０の軸方向への移動が規制される。また、このことによって、可動フランジ２０５と支持軸１１０とが一体化される。このため、ロールシート保持装置１０６は、図５のように、インクジェット記録装置のフレーム１００Ａに装着されると、支持軸歯車２０１と駆動歯車１００Ａｃとが噛み合って、不図示の駆動源によって回転して、保持しているロールシートの長尺シートを巻き取って弛みを除去したり、逆に長尺シートを送り出してインジェット記録装置に給送したりすることができる。
【００５５】
なお、本体盤２２０が矢印Ｂ方向に移動したとき、ロールシートＲＰの長尺シートＬＰに対して隙間Ｇ２（図１９）が生じるようになっている。この隙間Ｇ２は、ロック解除ブロックＢ２とロックブロックＢ１との隙間Ｇ１より広く設定されている。この隙間Ｇ２によって、ロールシートＲＰがロールシート保持装置１０６に対してスリップ回転するようなことがあっても、長尺シートＬＰの縁に傷が付くことを少なくすることができる。
【００５６】
図２１は、可動フランジ２０５を支持軸１１０の軸方向に移動するときの動作説明用の図である。図２１（Ａ）は、本体盤２２０を保持片盤２４０に接近させて、可動フランジ２０５を支持軸１１０への挿入方向へ移動するとの支持軸１１０に沿った断面図である。図２１（Ｂ）は、本体盤２２０を保持片盤２４０から離して、可動フランジ２０５を支持軸１１０から抜き取る方向へ移動するときの支持軸１１０に沿った断面図である。
【００５７】
次に、可動フランジ２０５を支持軸１１０の軸方向に移動する場合について説明する。それには、ロック駒２５２を支持軸１１０から離す必要がある。そこで、本体盤２２０を、図１９において、保持片盤２４０との間に隙間Ｇ１が空いている状態から、図１８、図２１（Ａ）に示すように、その隙間Ｇ１を無くす矢印Ａ方向に移動させるか、あるいは、図２１（Ｂ）に示すように、その隙間Ｇ１を広げる矢印Ｂ方向に移動させる必要がある。
【００５８】
本体盤２２０を、図１９の状態から、図１８、図２１（Ａ）に示すように、その隙間Ｇ１を無くす矢印Ａ方向（保持片盤２４０に接近する方向）に移動させると、図１８で説明したように、第２楔片２５６の傾斜面２５６ａが、ロック駒２５２をロックばね２５４に抗して矢印Ｃ方向に移動させて、ロック駒２５２を支持軸１１０から離すことができる。図２１（Ａ）に示す隙間Ｇ１は無いものとする。すなわち、ロックブロックＢ１とロック解除ブロックＢ２とを接近させると、ロック駒２５２が支持軸１１０から離れてロック駒２５２の円弧面２５２ａａと支持軸１１０との間に隙間が生じることになる。このロックブロックＢ１とロック解除ブロックＢ２とが接近した状態を維持して、可動フランジ２０５を矢印Ａ方向に移動させると、可動フランジ２０５を支持軸１１０への挿入方向へ移動することができる。
【００５９】
また、本体盤２２０を、図２１（Ｂ）に示すように、矢印Ｂ方向に（保持片盤２４０から離間させる方向）に移動させると、第１楔片２５５の傾斜面２５５ａが、ロック駒２５２をロックばね２５４に抗して矢印Ｃ方向に移動させて、ロック駒２５２を支持軸１１０から離すことができる。すなわち、ロックブロックＢ１とロック解除ブロックＢ２との隙間Ｇ１（図１９）を隙間Ｇ４に広げると、ロック駒２５２が支持軸１１０から離れてロック駒２５２の円弧面２５２ａａと支持軸１１０との間に隙間Ｇ３が生じることになる。このロックブロックＢ１とロック解除ブロックＢ２との隙間Ｇ４を維持して、可動フランジ２０５を矢印Ｂ方向に移動させると、可動フランジ２０５を支持軸１１０から抜き取る方向へ移動することができる。
【００６０】
以上のように、本実施形態のロールシート保持装置１０６は、可動フランジ２０５を支持軸１１０に沿って着脱をする方向（支持軸のスラスト方向）と同じ矢印Ａ，Ｂ方向に本体盤２２０を作動させることによって、可動フランジ２０５の着脱を行えるようになっているので、ロールシートの交換や、新たなロールシートの装着等を行うときの操作性を向上させることができる。
【００６１】
以上の構成において、第１楔片２５５及び第２楔片２５６がロック駒２５２のガイド片２５２ｂと接触する部分に、傾斜面２５５ａ，２５６ａが形成されている。この傾斜面は、ガイド片２５２ｂに形成されていてもよいし、第１楔片２５５及び第２楔片２５６と、ガイド片２５２ｂとの両方に形成されていても良い。すなわち、傾斜面は、第１楔片２５５及び第２楔片２５６と、ガイド片２５２ｂとの少なくとも一方に形成されていればよい。
【００６２】
また、以上のロールシート保持装置１０６は、インクジェット記録装置１００に使用するようになっているが、レジスタにも使用することができる。よって、ロールシート保持装置１０６は、インクジェット記録装置１００のみに使用するものではなく、長尺シートを使用する長尺シート使用装置に広く使用することができるものである。
【００６３】
以上、説明したロールシート保持装置１０６は、ロールシートＲＰの軸芯ＡＸを貫通する支持軸１１０と、ロールシートＲＰの一端に対向して支持軸１１０に設けられ、ロールシートＲＰが軸方向へ移動するのを規制する、支持軸１１０に対して着脱可能なフランジ（可動フランジ２０５）と、を備えている。そして、可動フランジ２０５は、軸方向に互いに相対移動により接離可能な第１の移動部材としての保持片盤２４０及び第２の移動部材としての本体盤２２０と、支持軸１１０に対して交差する方向に移動可能に保持片盤２４０に設けられ、付勢手段としてのロックばね２５４によって支持軸１１０に付勢されて保持片盤２４０を支持軸１１０に係合する係合部材としてのロック駒２５２と、支持軸１１０に装着されるロールシートＲＰの端部と接触する本体盤２２０に設けられて、本体盤２２０が支持軸１１０の軸方向に沿って保持片盤２４０に対して相対移動させられると、ロックばね２５４に抗して係合部材としてのロック駒２５２を支持軸１１０から離間させて圧接状態(係合状態)を解除する解除部としての第１楔片２５５及び第２楔片２５６と、を有している。
【００６４】
従って、ロールシート保持装置１０６は、本体盤２２０を、可動フランジ２０５の支持軸１１０の軸方向に沿って、保持片盤２４０に相対移動させて、可動フランジを着脱できるようにしてあるので、可動フランジ２０５の移動方向と本体盤２２０の操作方向とを同じにすることができて、ロールシートの交換や、新たなロールシートの装着等を行うときの操作性を向上させることができる。
【００６５】
ロールシート保持装置１０６における、ロック駒２５２と第１楔片２５５及び第２楔片２５６は、互いに当接する部分の少なくとも一方が傾斜面２５５ａ，２５６ａである。そして、傾斜面２５５ａ，２５６ａは、本体盤２２０が外力により軸方向に移動させられるとき、ロックばね２５４に抗してロック駒２５２を支持軸１１０から離間させ、外力が解除されると、ロックばね２５４によってロック駒２５２の離間を解除するとともに本体盤２２０を押し戻すことが可能になっている。
【００６６】
これによって、ロールシート保持装置１０６は、傾斜面２５５ａ，２５６ａによって、支持軸１１０からロック駒２５２を離間させるので、可動フランジ２０５を円滑に移動させることができる。
【００６７】
ロールシート保持装置１０６における、第１楔片２５５及び第２楔片２５６は、ロック駒２５２の支持軸１１０の軸方向の両側に配置されている。
【００６８】
これによって、ロールシート保持装置１０６は、本体盤２２０を支持軸１１０に沿った何れの方向に移動させても、支持軸１１０に対する可動フランジ２０５の着脱操作性を向上させることができる。また、可動フランジ２０５が支持軸１１０にロックされた状態で、本体盤２２０が軸方向へ移動するのを規制することができる。
【００６９】
ロールシート保持装置１０６における、支持軸１１０と可動フランジ２０５は、一体に回転可能である。
【００７０】
これによって、ロールシート保持装置１０６は、長尺シートの弛み除去の巻き取りと、長尺シートを送り出す給送とを円滑に行うことができる。
【００７１】
ロールシート保持装置１０６における、可動フランジ２０５は、ロールシートＲＰの軸芯孔ＡＸｈに着脱能に挿入されて、軸芯孔ＡＸｈを保持する芯孔保持部としての保持片２１１を有している。
【００７２】
これによって、ロールシート保持装置１０６は、ロールシートを確実に保持して、長尺シートの弛み除去の巻き取りと、長尺シートを送り出す給送とを円滑に行うことができる。
【符号の説明】
【００７３】
１００：インクジェット記録装置、１００Ａ：インクジェット装置の本体、１０１：シート給送装置、１０６：ロールシート保持装置、１１０：支持軸、２０２：固定フランジ、２１１：保持片(芯孔保持部)、２０５：可動フランジ、２２０：本体盤（第２の移動部材）、２４０：保持片盤（第１の移動部材）、２５０：ロック体、２５２：ロック駒（係合部材）、２５４：ロックばね（付勢手段）、２５５：第１楔片（解除部）、２５５ａ：傾斜面、２５６：第２楔片（解除部）、２５６ａ：傾斜面、２６０：ロック機構、Ｂ１：ロックブロック、Ｂ２：ロック解除ブロック、ＲＰ：ロールシート、ＡＸ：軸芯、ＡＸｈ：軸芯孔、ＬＰ：長尺シート、Ｇ１，Ｇ２，Ｇ３，Ｇ４：隙間。
【図１】
2019199330.tif 000003
【図２】
2019199330.tif 000004
【図３】
2019199330.tif 000005
【図４】
2019199330.tif 000006
【図５】
2019199330.tif 000007
【図６】
2019199330.tif 000008
【図７】
2019199330.tif 000009
【図８】
2019199330.tif 000010
【図９】
2019199330.tif 000011
【図１０】
2019199330.tif 000012
【図１１】
2019199330.tif 000013
【図１２】
2019199330.tif 000014
【図１３】
2019199330.tif 000015
【図１４】
2019199330.tif 000016
【図１５】
2019199330.tif 000017
【図１６】
2019199330.tif 000018
【図１７】
2019199330.tif 000019
【図１８】
2019199330.tif 000020
【図１９】
2019199330.tif 000021
【図２０】
2019199330.tif 000022
【図２１】
2019199330.tif 000023